(57)【要約】【課題】空気調和機の室外機に設ける電装部の内部への水の侵入をシール材なしで防止できるようにして部品点数を減らし、コストを削減する。【解決手段】室外機の内部に設ける電装部が、上面が開放され電装基板１２を収納するようにした樹脂材からなる電装基板収納ケース１３と、上面が開放され電装基板収納ケース１３を収容保持するようにした板金からなる電装品箱１４と、電装基板収納ケース１３の上面から被せるようにした電装蓋１５とからなるものにおいて、電装基板収納ケース１３の側壁上端外周に、電装蓋１５の内面に当接するフランジ部１３ａを一体に形成した構成とすることにより、電装基板収納ケース１３への水の侵入を防止することができる。【選択図】  図２
2004325002.tif 000002
【特許請求の範囲】
【請求項１】
底板上を、同底板上に立設された仕切板により、熱交換器と送風ファンとを備えた熱交換室と、圧縮機とその上方に電装部を設けた機械室とに区画し、前記電装部を、樹脂材からなり電装基板を収納する上面が開放された電装基板収納ケースと、板金からなり前記電装基板収納ケースを収容保持する上面が開放された電装品箱と、前記電装基板収納ケースの上面から被せられる電装蓋とにより構成してなるものにおいて、
前記電装基板収納ケースの側壁上端外周に、前記電装蓋の内面に当接するフランジ部を一体に形成してなることを特徴とする空気調和機の室外機。
【発明の詳細な説明】
【０００１】
【発明の属する技術分野】
本発明は空気調和機の室外機に係わり、詳しくは、同室外機の内部に設ける電装部への水の侵入を防止する構造に関する。
【０００２】
【従来の技術】
空気調和機は屋外に設置される室外機と、同室外機に冷媒管等を介して接続され屋内に設置される室内機とからなり、室外機の本体は例えば図１に示すような底板（ベース）１と、外胴からなり、この外胴は左側板２ａが一体に形成された前面カバー２と、Ｌ字状に形成された右側板３と、上面カバー４等で構成されており、本体内は底板１上に立設された仕切板５によって熱交換室６と機械室７とに区画され、熱交換室６には熱交換器８と、同熱交換器８により熱交換された空気を外部に送出する送風ファン９が配置され、一方の機械室７にはその下部に圧縮機１０が配置され、その上方に圧縮機１０および送風ファン（送風機）９等の運転制御を行う電装品を収めた電装部１１が配置されている。
【０００３】
図４に示すように、電装部１１は、樹脂材からなり電装基板１２を収納する上面が開放された電装基板収納ケース１３と、板金からなり電装基板収納ケース１３を収容保持する上面が開放された電装品箱１４と、電装基板収納ケース１３の上面から被せられる電装蓋１５とからなり、電装基板収納ケース１３の側壁上端と電装蓋１５との間には、例えば図５に示すように、シール材１６を設けて内部への水の侵入を防止し、電装基板１２および同電装基板１２に配設された電装品１２ａや端子板を保護するようになっていた。
【０００４】
しかしながら、上記の構成では高価なシール材１６を必要とし、その貼り付けに手間がかかる等の問題があった。
また、防水対策を施したもう一つの例としては（例えば、特許文献１参照）があるが、構成が複雑で、前者と同様に組立にも時間を要し、コスト的にも問題があった。
【０００５】
【特許文献１】
特開平８ー１０５６３８号公報（第３頁、第１図）
【０００６】
【発明が解決しようとする課題】
本発明においては、上記の問題点に鑑み、シール材を廃したより簡単な構成にして、電装部内に水が侵入するのを防止することができ、安価に製造できる空気調和機の室外機を提供することを目的としている。
【０００７】
【課題を解決するための手段】
本発明は上記の課題を解決するためになされたもので、底板上を、同底板上に立設された仕切板により、熱交換器と送風ファンとを備えた熱交換室と、圧縮機とその上方に電装部を設けた機械室とに区画し、前記電装部を、樹脂材からなり電装基板を収納する上面が開放された電装基板収納ケースと、板金からなり前記電装基板収納ケースを収容保持する上面が開放された電装品箱と、前記電装基板収納ケースの上面から被せられる電装蓋とにより構成してなるものにおいて、
前記電装基板収納ケースの側壁上端外周に、前記電装蓋の内面に当接するフランジ部を一体に形成してなる構成とする。
【０００８】
【発明の実施の形態】
以下、本発明の実施の形態を図１〜図３に基づいて説明する。
図１は空気調和機の室外機の概略構成を示したもので、同室外機の本体は底板（ベース）１と、外胴からなり、この外胴は左側板２ａと連続して形成された前面カバー２と、Ｌ字状に形成された右側板３と、上面カバー４等で構成されており、本体内は底板１上に立設された仕切板５によって熱交換室６と機械室７とに区画され、熱交換室６には熱交換器８と、同熱交換器８により熱交換された空気を外部に送出する送風ファン９が配置され、一方の機械室７にはその下部に圧縮機１０が配置され、その上方に圧縮機１０および送風ファン（送風機）９等の運転制御を行うための電装品を収めた電装部１１が配置されている。
【０００９】
電装部１１は、図２に示すように、樹脂材からなり電装基板１２を収納する上面が開放された電装基板収納ケース１３と、板金からなり電装基板収納ケース１３を収容保持する上面が開放された電装品箱１４と、電装基板収納ケース１３の上面から被せられる電装蓋１５とからなっている。電装基板１２には電装品１２ａや端子板が配設されているため、電装基板収納ケース１３内への水の侵入を防止する必要があり、本発明においては、図２および図３に示すように電装基板収納ケース１３の側壁上端外周にフランジ部１３ａを一体に形成した構成とし、このフランジ部１３ａを電装蓋１５の内面に当接させることにより、電装基板収納ケース１３内への水の侵入を防止するようになっている。
【００１０】
上記構成では、電装基板収納ケース１３にフランジ部１３ａを設けたことにより、電装蓋１５との接触面積が従来のものに比して大幅に拡大された形となり、防水効果が得られる。
なお、図示はされてないが、電装蓋１５の内面に、同電装蓋１５とフランジ部１３ａの接触状態をより強くする係止爪等を設けた構成にすれば防水効果をより高めることができる。
【００１１】
【発明の効果】
以上説明したような電装部を有する室外機であれば、電装基板収納ケースと電装蓋間にシール材を設けることなく電装基板収納ケース１３内への水の侵入を防止することができるので部品点数を削減でき、室外機をより安価に製造することができ、また、修理や点検のために電装蓋を開閉するようなことがあっても、シール材が使われてないのでその開閉作業も容易に行える。
【図面の簡単な説明】
【図１】本発明および従来例に係わる空気調和機の室外機の概略構成を示す斜視図である。
【図２】本発明の実施の形態を示す電装部の概略構成斜視図である。
【図３】本発明の実施の形態を示す要部拡大側断面図である。
【図４】従来の形態を示す電装部の概略構成斜視図である。
【図５】従来の形態を示す要部拡大側断面図である。
【符号の説明】
１  底板（ベース）
２  前面カバー
２ａ  左側板
３  右側板
４  上面カバー
５  仕切板
６  熱交換室
７  機械室
８  熱交換器
９  送風ファン
１０  圧縮機
１１  電装部
１２  電装基板
１２ａ  電装品
１３  電装基板収納ケース
１３ａ  フランジ部
１４  電装品箱
【図１】
2004325002.tif 000003
【図２】
2004325002.tif 000004
【図３】
2004325002.tif 000005
【図４】
2004325002.tif 000006
【図５】
2004325002.tif 000007